(57)【要約】      （修正有）【課題】薄形で、音声効果がよく、コストの低い、二重チャンネルスピーカーを提供する。【解決手段】このスピーカーでは、特に、振動板９は略円錐形の底面開口側が下向き、すなわちバスケットフレーム２（の底面）に向けられて、上向きの略円錐形の頂部側が固定環１２、中空波状ダンパー１５の中央に通され、また、振動板９の頂部内縁１０が直接ボイスコイルの頂部に繋ぎ固定される。そして、中空波状ダンパー１５の外縁１６が固定環１２の上縁１４に、振動板９の外縁１１が固定環１２の下縁１３にそれぞれ相互に張り合わせられて連結され、バスケットフレーム２の頂面に固定される。【選択図】図１
0003153377.tif 000002
【実用新案登録請求の範囲】
【請求項１】
バスケットフレーム（２）と、
前記バスケットフレーム（２）の頂面上に固定環（１２）を介して設けられた中空波状ダンパー（１５）と、
前記バスケットフレーム（２）と前記中空波状ダンパー（１５）との間に設けられた振動板（９）と、
前記バスケットフレーム（２）と前記振動板（９）との間に設けられたＵ形鉄（３）と、
前記Ｕ形鉄（３）と前記振動板（９）との間に配設され、片側一方の端部を前記Ｕ形鉄（３）内に嵌め込まれたボイスコイル（８）と、
前記Ｕ形鉄（３）と前記ボイスコイル（８）の内側で、前記Ｕ形鉄（３）から前記ボイスコイル（８）に向けて順次重ねられた下磁石（４）、ワッシャー（５）、ｎ形銅スリーブ（６）、及び上磁石（７）と、
前記振動板（９）の頂部に設けられた防塵帽子（１８）と、
前記バスケットフレーム（２）の外周に設けられ、前記ボイスコイル（８）と電気的に接続されて、信号出力に供するための端子（１）と、
を備え、
前記振動板（９）は底面に開口を有する略円錐形又は略角錐形に形成され、当該略円錐形又は略角錐形の底面開口側が前記バスケットフレーム（２）に向けられて、当該略円錐形又は略角錐形の頂部側が前記固定環（１２）及び前記中空波状ダンパー（１５）の中央に通され、また、前記振動板（９）の頂部内縁（１０）が直接前記ボイスコイル（８）の頂部に繋ぎ固定され、前記中空波状ダンパー（１５）の外縁（１６）が前記固定環（１２）の片側一方の縁部（１４）に、前記振動板（９）の外縁（１１）が前記固定環（１２）の片側他方の縁部（１３）にそれぞれ相互に張り合わせられて連結され、前記バスケットフレーム（２）の頂面に固定される、
ことを特徴とする二重チャンネルスピーカー。
【請求項２】
下磁石（４）及びワッシャー（５）は前記下磁石（４）上に前記ワッシャー（５）が重ねられて、ｎ形銅スリーブ（６）の内側に設けられ、上磁石（７）は前記ｎ形銅スリーブ（６）の頂面に設けられることを特徴とする請求項１に記載の二重チャンネルスピーカー。
【請求項３】
下磁石（４）、上磁石（７）の材質はそれぞれ、ネオジム鉄ホウ素磁石（Ｎｅｏｄｙｍｉｕｍ  ｍａｇｎｅｔ／  Ｎｄ−Ｆｅ−Ｂ  Ｓｉｎｔｅｒｅｄ  Ｍａｇｎｅｔｓ）であることを特徴とする請求項１に記載の二重チャンネルスピーカー。
【請求項４】
中空波状ダンパー（１５）の内縁（１７）は振動板（９）に連結されることを特徴とする請求項１に記載の二重チャンネルスピーカー。
【請求項５】
バスケットフレーム（２）と、
前記バスケットフレーム（２）の頂面を覆う、当該頂面に対向する位置決め孔（２０）を有するカバー（１９）と、
前記カバー（１９）の位置決め孔（２０）により位置決めされて前記バスケットフレーム（２）の頂面上に設けられた中空波状ダンパー（１５）と、
前記バスケットフレーム（２）と前記中空波状ダンパー（１５）との間に設けられた振動板（９）と、
前記バスケットフレーム（２）と前記振動板（９）の間に設けられたＵ形鉄（３）と、
前記Ｕ形鉄（３）と前記振動板（９）との間に配設され、片側一方の端部を前記Ｕ形鉄（３）内に嵌め込まれたボイスコイル（８）と、
前記Ｕ形鉄（３）と前記ボイスコイル（８）の内側で、前記Ｕ形鉄（３）から前記ボイスコイル（８）に向けて順次重ねられた下磁石（４）、ワッシャー（５）、ｎ形銅スリーブ（６）、及び上磁石（７）と、
前記振動板（９）の頂部に設けられた防塵帽子（１８）と、
前記バスケットフレーム（２）の外面に設けられ、ボイスコイル（８）と電気的に接続されて、信号出力に供するための端子（１）と、
を備え、
前記振動板（９）は底面に開口を有する略角錐形又は略円錐形に形成され、当該略角錐形又は略円錐形の底面開口側が前記バスケットフレーム（２）に向けられて、当該略角錐形又は略円錐形の頂部側が前記中空波状ダンパー（１５）の中央に通され、また、前記振動板（９）の頂部内縁（１０）が直接前記ボイスコイル（８）の頂部に繋ぎ固定され、前記中空波状ダンパー（１５）の外縁（１６）が前記カバー（１９）の位置決め孔（２０）の内縁に、前記振動板（９）の外縁（１１）が前記カバー（１９）の底部の内側にそれぞれ相互に張り合わせられて連結され、前記バスケットフレーム（２）の頂面に固定される、
ことを特徴とする二重チャンネルスピーカー。
【請求項６】
下磁石（４）及びワッシャー（５）は前記下磁石（４）上に前記ワッシャー（５）が重ねられて、ｎ形銅スリーブ（６）の内側に設けられ、上磁石（７）は前記ｎ形銅スリーブ（６）の頂面に設けられることを特徴とする請求項５に記載の二重チャンネルスピーカー。
【請求項７】
下磁石（４）、上磁石（７）の材質はそれぞれ、ネオジム鉄ホウ素磁石（Ｎｅｏｄｙｍｉｕｍ  ｍａｇｎｅｔ／  Ｎｄ−Ｆｅ−Ｂ  Ｓｉｎｔｅｒｅｄ  Ｍａｇｎｅｔｓ）であることを特徴とする請求項５に記載の二重チャンネルスピーカー。
【請求項８】
中空波状ダンパー（１５）の内縁（１７）は振動板（９）に連結されることを特徴とする請求項５に記載の二重チャンネルスピーカー。
【考案の詳細な説明】
【技術分野】
【０００１】
本考案は二重チャンネルスピーカーに関する。
【背景技術】
【０００２】
スピーカー（Ｓｐｅａｋｅｒ）は、周知のとおり、電気信号を音声信号に変換する装置である。スピーカーは、電子製品の音声出力側にある重要な部品で、応用範囲が広く、例えば、ウォークマンに代表されるポータブルオーディオプレーヤー、ステレオ、無線通信、マルチメディアコンピュータ、録音工程または電子辞書などの様々なタイプのイヤホンやヘッドホン内に設けられて、音声や音楽を聴くことができ、また、電話機に接続して、電話することができる。
【０００３】
現在、市販のスピーカーは大抵、Ｕ形鉄が直接バスケットフレームの底部に固定され、その上に磁石、ワッシャー、ボイスコイルが順に重ねられて、最後にボイスコイルの頂部に防塵帽子が設けられる。振動板はバスケットフレームの頂面の縁部に、ダンパーは振動板の下側にそれぞれ設けられる。この場合、振動板の開口は上向き（使用状態では前向き）、すなわち、振動板の円錐角がバスケットフレームの方向に向けられることになる。この種のスピーカは例えば特許文献１などに記載されている。
【先行技術文献】
【特許文献】
【０００４】
【特許文献１】実用新案登録第３０７４２４６号公報
【考案の概要】
【考案が解決しようとする課題】
【０００５】
しかしながら、上記従来のスピーカーの構造では、スピーカーからの音声が制限され、リアルな音声を発生しにくく、最高の音響効果を発揮することができない、という問題がある。また、このような構造から、スピーカーの厚みはそれ以上に小さくすることができないため、スピーカーのサイズは制限され、振動システムのダンプリング（振動や音のエネルギーを熱エネルギーに変換して散逸する現象）は大きくて、音声効果が普通（平凡なもの）でありながら、コストが高い、という問題がある。
【０００６】
本考案は、このような従来の課題を解決するものであり、薄形で、かつ音声効果がよく、しかもコストが低く、市場性の高い二重チャンネルスピーカーを提供すること、を目的とする。
【課題を解決するための手段】
【０００７】
上記目的を達成するために、本考案の二重チャンネルスピーカーは次のような第１、第２の実施の形態を備える。
第１の実施の形態は、バスケットフレーム（２）、該バスケットフレーム（２）のてっぺんに設けられた中空波状ダンパー（１５）、該ダンパー（１５）の外側に設けられた固定環（１２）、該バスケットフレーム（２）とダンパー（１５）の間に設けられた振動板（９）、該バスケットフレーム（２）と振動板（９）の間に設けられたＵ形鉄（３）、該Ｕ形鉄（３）と振動板（９）の間にあり、片側がＵ形鉄（３）内に嵌められているボイスコイル（８）、Ｕ形鉄（３）とボイスコイル（８）の内側に設けられ、底部から上部へと順次に重なっていく下磁石（４）、ワッシャー（５）、ｎ形銅スリーブ（６）と上磁石（７）、振動板（９）のてっぺんに設けられた防塵帽子（１８）、及び該バスケットフレーム（２）の片側に設けられ、ボイスコイル（８）と電気的に接続し、信号出力に供するための端子（１）が備わり、該振動板（９）は開き口が下向きになり、円錐角が上向きでダンパー（１５）の中央を通った逆円錐形に設けられており、また、該振動板（９）のてっぺんの内縁（１０）は、直接にボイスコイル（８）のてっぺんにつないで固定されており、該ダンパー（１５）の外縁（１６）と固定環（１２）の上縁（１４）、及び振動板（９）の外縁（１１）と固定環（１２）の下縁（１３）とが相互に張り合わせてから、連結してバスケットフレーム（２）の頂面に固定されるように設けられることを特徴とする。
この場合、該下磁石（４）とワッシャー（５）は順次に上へ重なって、ｎ形銅スリーブ（６）の内側に設けられ、上磁石（７）はｎ形銅スリーブ（６）のてっぺんに設けられていることが好ましい。また、該下磁石（４）、上磁石（７）の材質は、ネオジム鉄ホウ素磁石（Ｎｅｏｄｙｍｉｕｍ  ｍａｇｎｅｔ／  Ｎｄ−Ｆｅ−Ｂ  Ｓｉｎｔｅｒｅｄ  Ｍａｇｎｅｔｓ）であることが好ましい。さらに、該ダンパー（１５）の内縁（１７）は更に、振動板（９）に連結していることが好ましい。
第２の実施の形態は、バスケットフレーム（２）、該バスケットフレーム（２）のてっぺんに設けられた中空波状ダンパー（１５）、該ダンパー（１５）の外縁にあり、バスケットフレーム（２）のてっぺんを覆って、ダンパー（１５）の位置決めに供するためのカバー（１９）、該バスケットフレーム（２）とダンパー（１５）の間に設けられた振動板（９）、該バスケットフレーム（２）と振動板（９）の間に設けられたＵ形鉄（３）、該Ｕ形鉄（３）と振動板（９）の間にあり、片側がＵ形鉄（３）内に嵌められているボイスコイル（８）、Ｕ形鉄（３）とボイスコイル（８）の内側に設けられ、底部から上部へと順次に重なっていく下磁石（４）、ワッシャー（５）、ｎ形銅スリーブ（６）と上磁石（７）、振動板（９）のてっぺんに設けられた防塵帽子（１８）、及び該バスケットフレーム（２）の片側に設けられ、ボイスコイル（８）と電気的に接続し、信号出力に供するための端子（１）が備わり、該振動板（９）は開き口が下向きになり、円錐角が上向きでダンパー（１５）の中央を通った逆円錐形に設けられており、そして、該振動板（９）のてっぺんの内縁（１０）は、直接にボイスコイル（８）のてっぺんにつないで固定されており、それに、該ダンパー（１５）の外縁（１６）とカバー（１９）のてっぺんの位置決め孔（２０）、及び振動板（９）の外縁（１１）とカバー（１９）の底部の内側とが相互に張り合わせてから、連結してバスケットフレーム（２）の頂面に固定されるように設けられることを特徴とする。
この場合、該下磁石（４）とワッシャー（５）は順次に上へ重なって、ｎ形銅スリーブ（６）の内側に設けられ、上磁石（７）はｎ形銅スリーブ（６）のてっぺんに設けられていることが好ましい。また、該下磁石（４）、上磁石（７）の材質は、ネオジム鉄ホウ素磁石（Ｎｅｏｄｙｍｉｕｍ  ｍａｇｎｅｔ／  Ｎｄ−Ｆｅ−Ｂ  Ｓｉｎｔｅｒｅｄ  Ｍａｇｎｅｔｓ）であることが好ましい。さらに、該ダンパー（１５）の内縁（１７）は更に、振動板（９）と連結していることが好ましい。
【考案の効果】
【０００８】
本考案の二重チャンネルスピーカーは、上記第１、第２の実施の形態の各構成により、次のような効果を奏する。
（１）振動板（９）が開口をバスケットフレーム（２）側に向けられて、Ｕ形鉄（３）から振動板（９）の縁までの距離が縮められ、スピーカーの高さが低くなるが、ダンパー（１５）が振動板（９）の上に設けられて、二重音波が生じ、音波が前後二つの方向へ伝わるという二重チャンネルスピーカーの設計により、スピーカーの音響効果を高めることができるなど、スピーカーの使用効果（性能）を向上させることができ、しかもコストを削減することができ、これにより、より多くの使用者に認められるスピーカーを実現し、市場の拡大を図ることができる。
（２）スピーカーのサイズが小さく、薄形になり、構造が簡単で、振動システムのダンプリング（振動や音のエネルギーを熱エネルギーに変換して散逸する現象）が低減され、音声効果がよく、コストが削減されると同時に、第１、第２の各実施の形態による技術手段によって、この二重チャンネルスピーカーの使用範囲は広くなり、スピーカーとして単独使用することができ、他の装備と一緒に用いることもできる。
【図面の簡単な説明】
【０００９】
【図１】本考案の第１の実施の形態における二重チャンネルスピーカーを示す斜視図
【図２】同二重チャンネルスピーカーの各部の構成を示す分解斜視図
【図３】本考案の第２の実施の形態における二重チャンネルスピーカーを示す斜視図
【図４】同二重チャンネルスピーカーの各部の構成を示す分解斜視図
【考案を実施するための形態】
【００１０】
次に、この考案を実施するための形態について図を用いて説明する。図１及び図２に第１の実施の形態を示している。図１及び図２に示すように、二重チャンネルスピーカーは、バスケットフレーム２と、固定環１２と、中空波状ダンパー１５と、振動板９と、Ｕ形鉄３と、ボイスコイル８と、下磁石４、ワッシャー５、ｎ形銅スリーブ６、及び上磁石７と、防塵帽子１８と、端子１とを備えて構成される。
【００１１】
バスケットフレーム２は頂面に開口を有する有底の略円形の枠状に形成される。この場合、このバスケットフレーム２は頂面が円形に開口され、外周面が略円形の枠状に形成され、底面の中央に円筒状のボスが形成されその周囲に複数のリブが放射状に形成される。
【００１２】
固定環１２はバスケットフレーム２の頂面（縁部）上に設置可能に全体が円形のリング状に形成される。この固定環１２は中空波状ダンパー１５の外側（縁部）に設けられる。
【００１３】
中空波状ダンパー１５はバスケットフレーム２の頂面（縁部）上に設置可能に全体が円形に形成され、その中央に中空部が形成される。この中空波状ダンパー１５はバスケットフレーム２の頂面上に固定環１２を介して設けられる。
【００１４】
振動板９はバスケットフレーム２の頂面（縁部）上に設置可能に底面に開口を有する略円錐形に形成され、その頂部中心が円形に開口される。この振動板９はバスケットフレーム２と中空波状ダンパー１５との間に設けられる。
【００１５】
Ｕ形鉄３はバスケットフレーム２の底面中央に設置可能に全体が円筒形状に形成される。このＵ形鉄３はバスケットフレーム２の底面中央に設置され、このバスケットフレーム２と振動板９との間に配設される。
【００１６】
ボイスコイル８はＵ形鉄３内に嵌合可能に全体が円筒形に形成される。このボイスコイル８は片側一方の端部がＵ形鉄３内に嵌め込まれて、Ｕ形鉄３と振動板９との間に配設される。
【００１７】
下磁石４、ワッシャー５、ｎ形銅スリーブ６、及び上磁石７はそれぞれ、Ｕ形鉄３及びボイスコイル８の内側に配置可能に円筒状に形成される。これら下磁石４、ワッシャー５、ｎ形銅スリーブ６、及び上磁石７はＵ形鉄３とボイスコイル８の内側に、下部のＵ形鉄３から上部のボイスコイル８に向けて（下磁石４、ワッシャー５、ｎ形銅スリーブ６、及び上磁石７の順番で）順次重ねて配設される。
【００１８】
防塵帽子１８は振動板９の頂部開口に設置可能に円筒形に形成される。この防塵帽子１８は振動板９の頂部開口に設けられる。
【００１９】
端子１は信号出力を供するための端子で、ボイスコイル８と電気的に接続されて、バスケットフレーム２の外周面所定の位置に設けられる。
【００２０】
このスピーカーでは、特に、振動板９は略円錐形の底面開口側が下向き、すなわちバスケットフレーム２（の底面）に向けられて、上向きの円錐形の頂部側が固定環１２、中空波状ダンパー１５の中央に通され、また、振動板９の頂部内縁１０が直接ボイスコイル８の頂部に繋ぎ固定される。そして、中空波状ダンパー１５の外縁１６が固定環１２の上縁１４に、振動板９の外縁１１が固定環１２の下縁１３にそれぞれ相互に張り合わせられて連結され、バスケットフレーム２の頂面に固定される。このようにしたことにより、振動板９は底面の開口が下向きになり、Ｕ形鉄３から振動板９の縁までの距離が縮められ、スピーカーの高さを低くすることができる。そして、中空波状ダンパー１５が振動板９の上に設けられて、二重音波が生じ、音波が前後二つの方向へ伝わるという二重チャンネルスピーカーの設計により、スピーカーの音響効果を高め、スピーカーの使用効果（性能）を向上させることができる。さらに、スピーカーの体積全体を小さくして、コストを削減することができ、スペース、値段共に従来のこの種のスピーカーに比べて有利であり、産業上の利用性を向上させることができる。
【００２１】
また、このスピーカーでは、特に、下磁石４及びワッシャー５は下磁石４上にワッシャー５が重ねられて、ｎ形銅スリーブ６の内側に設けられ、上磁石７はｎ形銅スリーブ６の頂面に設けられる。このような配置にすることにより、スピーカーが正常に働き、音声を流暢に出力し、ノイズの発生率を低減することができる。
【００２２】
さらに、このスピーカーでは、特に、下磁石４、上磁石７の材質がそれぞれ、ネオジム鉄ホウ素磁石（Ｎｅｏｄｙｍｉｕｍ  ｍａｇｎｅｔ／  Ｎｄ−Ｆｅ−Ｂ  Ｓｉｎｔｅｒｅｄ  Ｍａｇｎｅｔｓ）であり、この材質の磁石は最も軽く、磁力が最も強いので、超薄型スピーカーに最適である。
【００２３】
またさらに、このスピーカーでは、特に、中空波状ダンパー１５の内縁１７が振動板９に連結される。これによって、二重音波が生じ、音波の伝わり方が安定して、干渉率を低減し、スピーカーの音響効果を高めることができる。
【００２４】
そして、このスピーカーでは、振動板９と中空波状ダンパー１５との組合せによって、構造全体が簡単で、強力的となり、音声効果は向上し、コストは削減されるので、現在の既存のスピーカーに比べて、性能、実用性、産業上の利用性すべての点で優れたものとなる。
【００２５】
なお、この実施の形態では、振動板９を略円錐形としたが、略角錐形としてもよい。また、この実施の形態のスピーカーは他の付属品に合わせて使用することができ、例えば、アンプの使用により、その適用範囲はさらに広がり、実用性と産業上の利用性はさらに向上する。
【００２６】
図３及び図４に第２の実施の形態を示している。図３及び図４に示すように、二重チャンネルスピーカーは、バスケットフレーム２と、カバー１９と、中空波状ダンパー１５と、振動板９と、Ｕ形鉄３と、ボイスコイル８と、下磁石４、ワッシャー５、ｎ形銅スリーブ６、及び上磁石７と、防塵帽子１８と、端子１とを備えて構成される。
【００２７】
バスケットフレーム２は頂面に開口を有する略箱形の枠状に形成される。この場合、このバスケットフレーム２は長方形の頂面が略長楕円形に開口され、外周面が略長方形の枠状に形成され、底面の中央に円筒状のボスが形成されその周囲に複数のリブが放射状に形成される。
【００２８】
カバー１９はバスケットフレーム２の頂面（縁部）にこの頂面を覆い重合可能に底面に開口を有する略箱形の枠状に形成される。この場合、このカバー１９は底面が略長方形に開口され、外周面が略長方形の枠状に形成され、頂面の中央にバスケットフレーム２の頂面、さらに底面の中央に対向する位置決め孔２０をなす円形の枠が形成され、その周囲に複数のリブが放射状に形成される。なお、このカバー１９は中空波状ダンパー１５の外（周）縁にある。
【００２９】
中空波状ダンパー１５はカバー１９の頂面の位置決め孔２０に設置可能に全体が円形に形成され、その中央に中空部が形成される。この中空波状ダンパー１５はカバー１９の位置決め孔２０により位置決めされてバスケットフレーム２の頂面上に設けられる。
【００３０】
振動板９はバスケットフレーム２の頂面（縁部）上に設置可能に底面に開口を有する略角錐形に形成され、その頂部中心が円形に開口される。この振動板９はバスケットフレーム２の頂面上に設けられ、このバスケットフレーム２と中空波状ダンパー１５との間に配設される。
【００３１】
Ｕ形鉄３はバスケットフレーム２の底面中央に設置可能に全体が円筒形状に形成される。このＵ形鉄３はバスケットフレーム２の底面中央に設置され、このバスケットフレーム２と振動板９との間に配設される。
【００３２】
ボイスコイル８はＵ形鉄３内に嵌合可能に全体が円筒形に形成される。このボイスコイル８は片側一方の端部がＵ形鉄３内に嵌め込まれて、Ｕ形鉄３と振動板９との間に配設される。
【００３３】
下磁石４、ワッシャー５、ｎ形銅スリーブ６、及び上磁石７はそれぞれ、Ｕ形鉄３及びボイスコイル８の内側に配置可能に円筒状に形成される。これら下磁石４、ワッシャー５、ｎ形銅スリーブ６、及び上磁石７はＵ形鉄３とボイスコイル８の内側に、下部のＵ形鉄３から上部のボイスコイル８に向けて（下磁石４、ワッシャー５、ｎ形銅スリーブ６、及び上磁石７の順番で）順次重ねて配設される。
【００３４】
防塵帽子１８は振動板９の頂部開口に設置可能に円筒形に形成される。この防塵帽子１８は振動板９の頂部開口に設けられる。
【００３５】
端子１は信号出力に供するための端子で、ボイスコイル８と電気的に接続されて、バスケットフレーム２の外面所定の位置に設けられる。
【００３６】
このスピーカーでは、特に、振動板９は略角錐形の底面開口側が下向き、すなわちバスケットフレーム２（の底面）に向けられて、上向きの略角錐形の頂部側がカバー１９、中空波状ダンパー１５の中央に通され、また、振動板９の頂部内縁１０が直接ボイスコイル８の頂部に繋ぎ固定される。そして、中空波状ダンパー１５の外縁１６がカバー１９の位置決め孔２０の内縁に、振動板９の外縁１１がカバー１９の底部の内側にそれぞれ相互に張り合わせられて連結され、バスケットフレーム２の頂面に固定される。また、下磁石４及びワッシャー５は下磁石４上にワッシャー５が重ねられて、ｎ形銅スリーブ６の内側に設けられ、上磁石７はｎ形銅スリーブ６の頂面に設けられる。さらに、下磁石４、上磁石７の材質はそれぞれ、ネオジム鉄ホウ素磁石（Ｎｅｏｄｙｍｉｕｍ  ｍａｇｎｅｔ／  Ｎｄ−Ｆｅ−Ｂ  Ｓｉｎｔｅｒｅｄ  Ｍａｇｎｅｔｓ）である。そして、中空波状ダンパー１５の内縁１７は振動板９に連結される。
【００３７】
このようにしたことにより、このスピーカーにおいても、第１の実施の形態と同様の作用効果を得ることができる。
【００３８】
なお、この実施の形態では、振動板９を略角錐形としたが、略円錐形としてもよい。また、この実施の形態のスピーカーは第１の実施の形態とは適用範囲が異なり、一般のスピーカーとして使用される。
【符号の説明】
【００３９】
１  端子
２  バスケットフレーム
３  Ｕ形鉄（Ｕ  ｓｈａｐｅ  ｙｏｋｅ）
４  下磁石
５  ワッシャー（Ｗａｓｈｅｒ）
６  ｎ形銅スリーブ
７  上磁石
８  ボイスコイル（Ｖｏｉｃｅ  Ｃｏｉｌ）
９  振動板（ｄｉａｐｈｒａｇｍ）（ｍｅｍｂｒａｎｅ）
１０  内縁
１１  外縁
１２  固定環
１３  下縁
１４  上縁
１５  ダンパー（Ｄａｍｐｅｒ）
１６  外縁
１７  内縁
１８  防塵帽子
１９  カバー
２０  位置決め孔
【図１】
0003153377.tif 000003
【図２】
0003153377.tif 000004
【図３】
0003153377.tif 000005
【図４】
0003153377.tif 000006